(57)【要約】【課題】  固定刃を小さい力で回転刃に接触させ、芝生などを噛んだときには大きな押付力で固定刃を回転刃に押付けて刈り取ることができる芝刈機を提供する。【解決手段】  芝刈機本体の左右位置に設けられた車輪と、車輪の間に横方向に配置された回転軸と、回転軸と一体的に回転する回転刃と、回転刃に刃先部が接するように芝刈機本体に設けられた固定刃を備えた芝刈機であって、固定刃は、刃先部が回転刃と接触又は離間する方向に揺動可能なように芝刈機本体に支持部材で支持されるとともに、刃先部が回転刃に所定の押圧力で接触するように接触部材で接触させられ、支持部材は、固定刃の刃先部と回転刃との間に作用する力で刃先部を回転刃に接触させる方向に揺動させる力が作用する位置に支持部で支持されている。【選択図】  図１
2019058115.tif 000002
【特許請求の範囲】
【請求項１】
芝刈機本体の左右位置に設けられた車輪と、前記車輪の間に横方向に配置された回転軸と、前記回転軸と一体的に回転する回転刃と、前記回転刃に刃先部が接するように前記芝刈機本体に設けられた固定刃を備えた芝刈機であって、
前記固定刃は、前記刃先部が前記回転刃と接触又は離間する方向に揺動可能なように前記芝刈機本体に支持部材で支持されるとともに、前記刃先部が前記回転刃に所定の押圧力で接触するように接触部材で接触させられ、
前記支持部材は、前記固定刃の前記刃先部と前記回転刃との間に作用する力で前記刃先部を前記回転刃に接触させる方向に揺動させる力が作用する位置に支持部で支持されている、
ことを特徴とする芝刈機。
【請求項２】
前記支持部材を支持する支持部の位置は、前記回転軸の軸心と前記固定刃の前記刃先部が前記回転刃と接する接点とを結ぶ半径線の前方位置において、前記接点よりも上方の前記芝刈機本体である、
請求項１に記載の芝刈機。
【請求項３】
前記支持部材は、前記支持部で支持する位置が変更可能に構成されている、
請求項１又は２に記載の芝刈機。
【請求項４】
前記接触部材は、前記固定刃を前記回転刃に接触させる方向に、前記支持部材を前記支持部を中心に揺動させるバネ部材で構成されている、
請求項１〜３のいずれか１項に記載の芝刈機。
【発明の詳細な説明】
【技術分野】
【０００１】
本発明は、家庭や公園等の芝生を刈るために用いられる芝刈機に関する。
【背景技術】
【０００２】
従来、家庭や公園等の芝生を刈るために、芝刈機本体の横方向に配置された回転軸の周りで回転する回転刃と、この回転刃と接するように芝刈機本体に設けられた固定刃との間で芝生を刈るように構成された芝刈機が用いられている。この芝刈機としては、芝刈機本体の両側部に設けられた車輪の回転力で回転刃を回転させるように構成された手動式のものや、芝刈機本体に設けられた電動機で回転刃を回転させる電動式、芝刈機本体に設けられた原動機で回転刃を回転させるエンジン式等がある。手動式の芝刈機は、作業者が芝刈機本体に設けられた把手を持って刈りたい芝生の上で芝刈機本体を移動させることで、車輪によって回転刃が回転させられて固定刃との間で芝生が刈られる。電動式は電動機で回転刃が回転させられ、エンジン式は原動機で回転刃が回転させられる点が異なるが、同様に固定刃との間で芝生が刈られる。以下、手動式を例に説明する。
【０００３】
図７は、従来から使用されている一般的な手動式の芝刈機の一例を示す全体斜視図である。図８は、図７に示す芝刈機で芝生を刈る状態を示す側面視の断面図である。手動式の芝刈機１００の芝刈機本体１０１には、左右位置に車輪１０２が設けられ、作業者が芝刈機本体１０１に設けられたハンドル１１１を持ち、芝生ｍの上で芝刈機本体１０１を前方に押すことで両方の車輪１０２が回転する。そして、車輪１０２の回転によってインターナルギヤ１０３が車輪１０２の内部に設けられたピニオン１０４を回転させ、このピニオン１０４と一体的に車輪１０２の間の横方向に配置された回転軸１０５が回転させられる。これにより、回転軸１０５と一体となった回転刃１０６が回転させられ、芝刈機本体１０１に設けられた固定刃１０７との間で芝生ｍが刈られる。この例では、刈られた芝生ｍは前部の集草器１１２に集められる。また、芝刈機本体１０１の後部には、昇降ガイド１０８を介して後部ローラ１０９が設けられており、図８（Ａ）に示す刈高さで芝生ｍを刈った後、図８（Ｂ）に示すように芝刈機本体１０１に対して昇降ガイド１０８の状態を変更することで後部ローラ１０９の高さを変更して、芝生ｍの刈高さを調整することが可能となっている。
【０００４】
このような芝刈機１００は、回転刃１０６に対して固定刃１０７を適切な力で押付けているため、使用によって刃先部が磨耗する。このため、必要に応じて固定刃１０７を回転刃１０６に対して適切な力で押付けるように、固定刃１０７を位置調整するための調整ボルト１１０が設けられている。しかし、回転刃１０６の軸方向に延びる固定刃１０７を、全長にわたって回転刃１０６に対して適切な力で押付ける位置調整は熟練を要し、一般的には難しい。
【０００５】
そこで、本出願人は、固定刃をほぼ一定の適切な力で回転刃に押付けることができ、その押付け状態を保てる芝刈機を先に出願した（特許文献１参照）。この芝刈機では、車輪によって回転させられる回転軸の周りで回転する回転刃に対し、芝刈機本体に設けられた固定刃の刃先部が接する方向に、固定刃が支持軸を中心にバネ部材で回転させられる。これにより、固定刃が回転刃から離れるとバネ部材のバネ力によって元に戻されて固定刃の刃先部が回転刃に適切な力で押付けられる。
【先行技術文献】
【特許文献】
【０００６】
【特許文献１】特許第４３８８０１５号公報
【発明の概要】
【発明が解決しようとする課題】
【０００７】
ところで、芝刈機で刈る芝生が長く伸びた場合は、上記図８（Ａ）の状態で芝生ｍの上部を刈り高さＨ１で刈り取った後、図８（Ｂ）のように後部ローラ１０９の高さを変更して残った芝生ｍが適切な刈り高さＨ２となるように段階的に刈ることが好ましい。しかし、使用者によっては、刈り高さを調整することなく、長く伸びて密集した芝生を一度に刈り取ろうとする場合がある。この場合、長く伸びて密集した芝生が回転刃と固定刃との間に噛み込まれて刈り取りできない場合が生じる。すなわち、長く伸びて密集した芝生などを一度に刈り取ろうとした場合、回転刃と固定刃との間に挟まれた芝生によって生じる大きな負荷で固定刃が回転刃から離れる方向に力が作用する。これにより、長く伸びて密集した芝生などの刈り取り時に、固定刃が回転刃から離れる方向に揺動して刈り取ることが難しい場合がある。長く伸びて密集した芝生以外に、硬い芝生などを刈り取ろうとした場合も同様である。
【０００８】
一方、回転する回転刃と接するように芝刈機本体に設けられた固定刃の刃先部は、芝生を刈り取るときの摩耗の他、芝生を刈らない空押し時には芝汁（刈った芝生から出る汁）による潤滑効果がないため磨耗が進む。このため、回転刃に対して固定刃の刃先部を押し付ける力は小さい方が磨耗が小さく好ましい。
【０００９】
そこで、本発明は、固定刃を小さい力で回転刃に接触させ、芝生などを噛んだときには大きな押付力で固定刃を回転刃に押付けて刈り取ることができる芝刈機を提供することを目的とする。
【課題を解決するための手段】
【００１０】
上記目的を達成するために、本発明は、芝刈機本体の左右位置に設けられた車輪と、前記車輪の間に横方向に配置された回転軸と、前記回転軸と一体的に回転する回転刃と、前記回転刃に刃先部が接するように前記芝刈機本体に設けられた固定刃を備えた芝刈機であって、前記固定刃は、前記刃先部が前記回転刃と接触又は離間する方向に揺動可能なように前記芝刈機本体に支持部材で支持されるとともに、前記刃先部が前記回転刃に所定の押圧力で接触するように接触部材で接触させられ、前記支持部材は、前記固定刃の前記刃先部と前記回転刃との間に作用する力で前記刃先部を前記回転刃に接触させる方向に揺動させる力が作用する位置に支持部で支持されている。
【００１１】
この構成により、固定刃は、支持部材で支持された状態では、接触部材によって所定の小さな力で回転刃に接触させた状態が保たれる。よって、芝生を刈らない状態で移動させるときなどには固定刃を小さな力で回転刃に接触させた状態を保ち、固定刃の刃先部が摩耗することを抑えることができる。そして、固定刃の刃先部と回転刃との間に芝生などを噛んだときには、芝刈機本体に支持部で支持された支持部材が固定刃の刃先部を回転刃と接触する方向に押付けるので、刃先部を回転刃に押付ける力が大きくなって噛んだ芝生などを刈り取ることができる。すなわち、芝生を刈らない状態では固定刃の先端部を回転刃に押し付ける力が小さく、芝生を刈るときには固定刃の先端部を回転刃に押し付ける力が大きくなるように変化するため、芝生を刈らないときには固定刃の刃先部が摩耗することを抑え、芝生を刈るときには安定した芝刈り作業を行うことができる。
【００１２】
また、前記支持部材を支持する支持部の位置は、前記回転軸の軸心と前記固定刃の前記刃先部が前記回転刃と接する接点とを結ぶ半径線の前方位置において、前記接点よりも上方の前記芝刈機本体であってもよい。
【００１３】
このように構成すれば、固定刃は、固定刃の前方位置における芝刈機本体に支持部で支持された支持部材で揺動するので、密集した芝生などを噛んだときには、支持部材によって固定刃の刃先部を回転刃に向けて大きな押付力で押し付けて芝生を刈り取ることができる。
【００１４】
また、前記支持部材は、前記支持部で支持する位置が変更可能に構成されていてもよい。支持部の位置を変更可能とする構成は、異なる位置に支持部の位置そのものを変更することを含む。
【００１５】
このように構成すれば、支持部を支点に揺動する支持部材によって、回転刃と固定刃との間に芝生を噛んだときに固定刃の刃先部を回転刃に接触させる押付力の大きさを変更することができる。よって、刈り取る芝生の種類などに応じて、固定刃の刃先部と回転刃との間に作用する押付力の大きさを適切に設定できる。
【００１６】
また、前記接触部材は、前記固定刃を前記回転刃に接触させる方向に、前記支持部材を前記支持部を中心に揺動させるバネ部材で構成されていてもよい。
【００１７】
このように構成すれば、バネ部材のバネ力によって固定刃の刃先部を回転刃に対して小さな力で接触させることができ、刃先部が磨耗してもバネ部材のバネ力で小さな押付力を安定して保つことができる。
【発明の効果】
【００１８】
本発明によれば、固定刃を回転刃に接触させる押付力を小さい力で保って刃先部の磨耗を抑え、回転刃と固定刃との間に芝生などを噛んだときには固定刃を回転刃に大きな押付力で押し付けて、硬い芝生などでも安定して刈り取ることが可能となる。
【図面の簡単な説明】
【００１９】
【図１】図１は、本発明の第１実施形態に係る芝刈機の主要構成を示す側面視の断面図である。
【図２】図２は、図１に示す芝刈機本体に支持された支持部材を示す平面図である。
【図３】図３は、図２に示す支持部材によって固定刃を回転刃に押付ける押付力の関係を示す側面視の説明図である。
【図４】図４は、本発明の第２実施形態に係る芝刈機の主要構成を示す側面視の断面図である。
【図５】図５は、本発明の第３実施形態に係る芝刈機の主要構成を示す側面視の断面図である。
【図６】図６は、固定刃の刃先部加重と固定刃の押付力との関係を示すグラフである。
【図７】図７は、従来から使用されている一般的な手動式の芝刈機の一例を示す全体斜視図である。
【図８】図８（Ａ）、（Ｂ）は、図７に示す芝刈機で芝生を刈る状態を示す側面視の断面図である。
【発明を実施するための形態】
【００２０】
以下、本発明の実施形態を図面に基づいて説明する。以下の実施形態でも、手動式の芝刈機１０を例に説明する。以下の実施形態は一部の例であり、本発明は以下の実施形態に限定されるものではない。この明細書及び特許請求の範囲の書類中における上下方向、前後方向の概念は、図１に示す芝刈機１０の側面視における上下方向、前後方向の概念と一致するものとする。
【００２１】
（第１実施形態に係る芝刈機の構成）
図１は、第１実施形態に係る芝刈機１０の主要構成を示す側面視の断面図である。芝刈機１０は、左右に設けられた芝刈機本体１１の左右位置に車輪１２が設けられ、これらの車輪１２は芝刈機本体１１に回転可能に支持されている。左右の芝刈機本体１１の間には、横方向に回転軸１３（リール軸）が配置されており、この回転軸１３の周囲に回転刃１５が一体的に設けられている。この回転刃１５はリール式で構成されており、所定の方向にねじられた複数の刃材１４が回転軸１３に設けられた複数の固定板１６の周囲に固定されている。回転軸１３の端部は車輪１２の内部に位置し、回転軸１３の端部に設けられたピニオンギヤ１８が車輪１２の内部に設けられたインターナルギヤ１７と噛合している。これにより、車輪１２が回転することによってインターナルギヤ１７がピニオンギヤ１８を回転させ、このピニオンギヤ１８と一体的に回転する回転軸１３によって回転刃１５が回転させられる。
【００２２】
そして、左右の芝刈機本体１１の間には、回転刃１５に刃先部２１が接するように固定刃２０が設けられている。固定刃２０は、刃先部２１が回転刃１５と接触又は離間する方向に揺動可能なように芝刈機本体１１に第１支持部材３０で支持されている。この実施形態では、第１支持部材３０の一端部である固定刃側３０ａに固定刃取付部材２３が設けられ、この固定刃取付部材２３に固定刃２０が皿ボルト２２で固定されている。固定刃取付部材２３に取付けられた固定刃２０は、刃先部２１が回転刃１５と接する接点Ｔが、回転刃１５の軸心Ｃ１からの垂線ＬＶよりも後方側に位置している。なお、この例では接点Ｔが垂線ＬＶよりも後方側に位置しているが、接点Ｔを垂線ＬＶよりも前方側に位置させることもできる。第１支持部材３０の他端部である支持側３０ｂは、芝刈機本体１１に設けられた支持部たる支持軸３２で支持されている。これにより、固定刃２０は、芝刈機本体１１に設けられた支持軸３２を支点にして第１支持部材３０と一体的に揺動するように構成されている。
【００２３】
この実施形態では、第１支持部材３０を支持軸３２で支持する位置が、芝刈機本体１１の、回転刃１５の軸心Ｃ１と固定刃２０の刃先部２１が回転刃１５と接する接点Ｔとを結ぶ半径線Ｌ１の前方位置であり、かつ、接点Ｔよりも上方の位置となっている。これにより、後述するように、第１支持部材３０は、固定刃２０の刃先部２１と回転刃１５との接点Ｔに芝生を噛んだときの駆動力Ｐ１が作用し、その駆動力Ｐ１によって支持軸３２を支点にして刃先部２１が円弧Ｒの方向に揺動させられる力が作用して、この力が刃先部２１を回転刃１５に押付ける押付力Ｐ２となって作用する。
【００２４】
なお、第１支持部材３０の支持側３０ｂを支持する位置は一例であり、回転刃１５と固定刃２０の刃先部２１との間に芝生を噛んだときに、固定刃２０の刃先部２１が回転刃１５と接触する方向に押圧する押圧力が作用する位置であればよい。例えば、構造的に可能であれば、上記半径線Ｌ１の後方位置であり、かつ、接点Ｔよりも下方の位置で芝刈機本体１１に支持するようにしてもよい。
【００２５】
また、固定刃取付部材２３の後部に接触部材たる引張バネ２５の一端を係止する係止部２４が設けられている。引張バネ２５は、一端が固定刃取付部材２３の係止部２４に係止され、他端が芝刈機本体１１のピン２６に係止されている。引張バネ２５を設ける角度は、図示する角度に限定されない。これにより、支持軸３２を支点とする第１支持部材３０と一体的に上下方向に揺動可能となっている固定刃２０は、固定刃取付部材２３に設けられた引張バネ２５によって小さな力で上向きに付勢されており、固定刃２０の刃先部２１が回転刃１５に所定の小さな力で接触させられている。この実施形態では、固定刃２０の刃先部２１を回転刃１５に押圧する接触部材として引張バネ２５を用いているが、接触部材は固定刃２０の刃先部２１を適切な小さな力で回転刃１５に接触させるものであればよい。接触部材としては、引張バネ２５の他、ゴム材など弾性材を利用できる。
【００２６】
さらに、芝刈機本体１１の後部には、昇降ガイド４０を介して後部ローラ４１が設けられている。後部ローラ４１により、昇降ガイド４０の状態を変更することによって、芝刈機本体１１の後部を上下方向に高さ変更できる。昇降ガイド４０は、前部が芝刈機本体１１に設けられたガイド軸４２に支持されており、後部に後部ローラ４１が回転可能に設けられている。昇降ガイド４０の上部には複数の係合溝４３が設けられており、その１つに芝刈機本体１１に設けられた係止部材４４が係合されている。係止部材４４は、芝刈機本体１１に一端が支持されたバネ部材４５でガイド溝４６に沿って付勢されている。係止部材４４をバネ部材４５の付勢力に抗して係合している係合溝４３から外し、他の係合溝４３を係止部材４４の位置に移動させて係合させれば、芝刈機本体１１の後部高さを変更することができる。これにより、芝刈機本体１１に設けられた固定刃２０の高さを変更して芝生ｍの刈り高さＨ（図８）を変更することができる。芝刈機本体１１には、斜め後方に向けてハンドル１９が設けられている。
【００２７】
（固定刃の取付構造）
図２は、図１に示す芝刈機本体１１に支持された第１支持部材３０を示す平面図である。図２では、固定刃２０と一方の第１支持部材３０のみを示している。固定刃２０は、幅方向の両端部に設けられた第１支持部材３０によって芝刈機本体１１に支持されている。第１支持部材３０は、固定刃側３０ａが固定刃２０に連結され、支持側３０ｂが芝刈機本体１１に設けられた支持軸３２に支持されている。これにより、固定刃２０は、芝刈機本体１１に設けられた支持軸３２を中心に第１支持部材３０と一体的に揺動するようになっている。
【００２８】
（固定刃を回転刃に押付ける押付力の関係）
図３は、図２に示す第１支持部材３０によって固定刃２０を回転刃１５に押付ける押付力の関係を示す側面視の説明図である。この例では、固定刃２０と一体的に揺動する第１支持部材３０の支持軸３２の位置が、回転刃１５の軸心Ｃ１と接点Ｔとを結ぶ半径線Ｌ１に対して前方位置で、接点Ｔよりも上方位置となっている。この例では、半径線Ｌ１と接点Ｔと支持軸３２の軸心Ｃ２とを結ぶ作用線Ｌ２との間が角度θ１となっている。
【００２９】
これにより、回転刃１５と固定刃２０の刃先部２１との接点Ｔに芝生を噛んで接線方向の駆動力Ｐ１が作用した場合、固定刃２０は支持軸３２を中心に矢印で示す円弧Ｒのように上方へ揺動するため、刃先部２１を回転刃１５に押付ける押付力Ｐ２が作用する。
【００３０】
従って、上記芝刈機１０によれば、支持軸３２を中心に第１支持部材３０と一体的に揺動するように支持された固定刃２０は、通常時は芝刈機本体１１に設けられた引張バネ２５の小さな力で回転刃１５に接触させられる。これにより、通常時は固定刃２０の刃先部２１と回転刃１５とを小さな力で接触させた状態が保たれ、芝生を刈らない状態で移動させるときなどに刃先部２１が磨耗することを抑止できる。
【００３１】
そして、回転刃１５と固定刃２０との間に芝生を噛んだときには、支持軸３２を中心に第１支持部材３０を上向きに揺動させる力が作用して、固定刃２０の刃先部２１が回転刃１５に大きな押付力Ｐ２で押付けられる。これにより、固定刃２０と回転刃１５との間に噛んだ芝生を刈り取ることができる。
【００３２】
このように、上記芝刈機１０によれば、通常の芝刈り作業時には小さな力で押すことができ、芝生を刈るときには回転刃１５と固定刃２０との間に芝生を噛むと固定刃２０の刃先部２１が回転刃１５に押付けられて刈り取ることができ、安定した芝刈り作業を行うことが可能となる。
【００３３】
（第２実施形態に係る芝刈機の構成）
図４は、第２実施形態に係る芝刈機５０の主要構成を示す側面視の断面図である。第２実施形態は、上記第１実施形態における固定刃２０を揺動可能に支持する第１支持部材３０が異なるのみであるため、異なる構成のみを説明し、第１実施形態と同一の構成には同一符号を付して、その説明は省略する。
【００３４】
この芝刈機５０は、固定刃２０を支持する第２支持部材５１が異なっている。そして、第２支持部材５１の支持側５１ｂを支持する支持軸３２の位置が、第１実施形態に比べて回転刃１５の軸心Ｃ１により近い位置となっている。また、支持軸３２の位置は、より上方となり、回転刃１５と固定刃２０の刃先部２１との接点Ｔと回転刃１５の軸心Ｃ１を結ぶ半径線Ｌ１と、上記接点Ｔと支持軸３２の軸心Ｃ２とを結ぶ作用線Ｌ２との間が角度θ２となっている。
【００３５】
このような第２実施形態の芝刈機５０によっても、通常時は固定刃２０の刃先部２１と回転刃１５とを小さな力で接触させた状態が保たれ、芝生を刈らない状態で移動させるときなどに刃先部２１が磨耗することを抑止できる。そして、回転刃１５と固定刃２０との間に芝生を噛んだときには、固定刃２０には第２支持部材５１によって上向きの力が作用して回転刃１５に押付けられる。この押付力Ｐ２は、上記第１実施形態の芝刈機１０における角度θ１に対して角度θ２が小さいため、接点Ｔに作用する駆動力Ｐ１に対してより大きな押付力Ｐ２を作用させることができる。このため、この実施形態によっても、回転刃１５と固定刃２０との間に噛んだ芝生を安定して刈り取ることができる。
【００３６】
（第３実施形態に係る芝刈機の構成）
図５は、第３実施形態に係る芝刈機６０の主要構成を示す側面視の断面図である。第３実施形態は、上記第１実施形態及び第２実施形態とは、固定刃２０を揺動可能に支持する第１支持部材３０及び第２支持部材５１の構成が異なるのみであるため、異なる構成のみを説明し、第１実施形態と同一の構成には同一符号を付して、その説明は省略する。
【００３７】
この芝刈機６０は、固定刃２０を支持する第３支持部材６１が異なっている。そして、第３支持部材６１の支持側６１ｂを支持する支持軸３２の位置が、第１実施形態に比べて回転刃１５の軸心Ｃ１より前方の位置となっている。また、支持軸３２の位置は、より下方となり、回転刃１５と固定刃２０の刃先部２１との接点Ｔと回転刃１５の軸心Ｃ１を結ぶ半径線Ｌ１と、上記接点Ｔと支持軸３２の軸心Ｃ２とを結ぶ作用線Ｌ２との間が角度θ３となっている。
【００３８】
このような第３実施形態の芝刈機６０によっても、通常時は固定刃２０の刃先部２１と回転刃１５とを小さな力で接触させた状態が保たれ、芝生を刈らない状態で移動させるときなどに刃先部２１が磨耗することを抑止できる。そして、回転刃１５と固定刃２０との間に芝生を噛んだときには、固定刃２０には第３支持部材６１によって上向きの力が作用して回転刃１５に押付けられる。この押付力Ｐ２は、上記第１実施形態の芝刈機１０における角度θ１に対して角度θ３が大きいため、接点Ｔに作用する駆動力Ｐ１に対して小さな押付力Ｐ２を作用させることができる。このため、この実施形態によっても、回転刃１５と固定刃２０との間に噛んだ芝生を安定して刈り取ることができる。
【００３９】
（芝刈機の駆動力と固定刃の押付力との関係）
図６は、上記芝刈機１０，５０，６０の駆動力Ｐ１と固定刃２０の押付力Ｐ２との関係を示すグラフである。このグラフでは、芝刈機１０，５０，６０の駆動力Ｐ１を横軸に示し、固定刃２０の刃先部２１を回転刃１５に押し付ける押付力Ｐ２を縦軸に示している。いずれも傾向を示している。また、図６では、上記第１実施形態に係る芝刈機１０を「Ｎｏ．１」とし、第２実施形態に係る芝刈機５０を「Ｎｏ．２」とし、第３実施形態に係る芝刈機６０を「Ｎｏ．３」としている。
【００４０】
上記第１実施形態の芝刈機１０と第２実施形態の芝刈機５０と第３実施形態の芝刈機６０とにおける駆動力Ｐ１と固定刃２０の押付力Ｐ２との関係としては、いずれも駆動力Ｐ１が「Ｅ」、「Ｆ」、「Ｇ」と大きくなれば、芝生を噛んだときに押付力Ｐ２が大きくなることが分かる。また、回転刃１５と固定刃２０の刃先部２１との接点Ｔと回転刃１５の軸心Ｃ１を結ぶ半径線Ｌ１と、接点Ｔと支持軸３２の軸心Ｃ２とを結ぶ作用線Ｌ２との間が角度が「θ３」、「θ１」、「θ２」と小さくなるに従って、固定刃２０の刃先部２１を回転刃１５に押し付ける押付力Ｐ２が大きくなることがわかる。
【００４１】
このことから、第２実施形態の芝刈機５０は第１実施形態の芝刈機１０に比べて押付力Ｐ２が大きくなるので、第１実施形態よりも硬い芝生や密集した芝生でも安定して刈り取ることが可能といえる。また、第３実施形態の芝刈機６０は第１実施形態の芝刈機１０に比べて押付力Ｐ２が小さくなるので、第１実施形態よりも疎らな芝生や軟らかい芝生などの刈り取りに適し、芝刈りに要する力を小さくして操作性の向上を図ることが可能といえる。
【００４２】
また、このグラフから、半径線Ｌ１と作用線Ｌ２の鋏角（角度θ１〜θ３）が狭くなるに従って固定刃２０の刃先部２１を回転刃１５と接触する方向に押付ける押付力Ｐ２が増す傾向が分かる。よって、固定刃２０を支持する第１支持部材３０の形状と支持軸３２による支持位置を変化させることで、刈り取る芝生に適した固定刃２０の押付力Ｐ２となった芝刈機を容易に設計することが可能となる。
【００４３】
さらに、このグラフから、固定刃２０を回転刃１５に押し付ける押付力Ｐ２を、芝刈機に応じて任意に設定することができる。例えば、刈り取る芝生に適した押付力Ｐ２が、第１実施形態の芝刈機１０と第２実施形態の芝刈機５０との間や、第２実施形態の芝刈機５０と第３実施形態の芝刈機６０との間などが適していることを推察することができる。そして、その適した押付力Ｐ２となるように、第１支持部材３０、第２支持部材５１、第３支持部材６１の形状を変更し、その支持軸３２の位置を変更した芝刈機を構成することが容易に可能となる。
【００４４】
（総括）
以上のように、上記した芝刈機１０，５０，６０によれば、芝刈りをしない状態では固定刃２０の刃先部２１が回転刃１５に小さな力で接触させられているので、芝刈機１０，５０，６０の移動が容易で、固定刃２０の刃先部２１が磨耗することを抑えることが可能となる。そして、固定刃２０と一体的に揺動する支持部材３０，５１，６１によって、回転刃１５と固定刃２０との間に芝生ｍを噛んだときには固定刃２０の刃先部２１が回転刃１５に向けて押圧される。よって、回転刃１５と固定刃２０との間に噛まれた芝生ｍは、回転刃１５により強く押圧された固定刃２０の刃先部２１との間で安定して刈り取ることが可能となる。従って、上記した芝刈機１０，５０，６０によれば、芝生の状態が多少変化するような使用条件でも、安定した芝刈り作業を効率良く行うことが可能となる。
【００４５】
また、刈り取る芝生に応じて固定刃２０の刃先部２１が回転刃１５に押圧される押付力Ｐ２を設定することができるので、使用条件などに応じて安定した芝刈りができる芝刈機１０，５０，６０を構成することが可能となる。
【００４６】
（変形例）
上記した第１実施形態の芝刈機１０における第１支持部材３０、第２実施形態の芝刈機５０における第２支持部材５１、第３実施形態の芝刈機６０における第３支持部材６１の形態は一例であり、支持部材は他の形態であってもよい。また、支持部材は、同一形状で支持部の支持位置が変更可能なように構成されたものでもよい。
【００４７】
上記した実施形態では、手動式の芝刈機１０を例に説明したが、電動式であってもエンジン式であっても駆動手段が異なるのみで芝生を刈る機構が同様であれば適用することは可能であり、本発明は上記実施形態に限定されるものではない。
【００４８】
また、上記した実施形態において、回転刃１５に固定刃２０の刃先部２１を接触させる接触部材たる引張バネ２５は一例であり、固定刃２０の刃先部２１を回転刃１５に小さな力で接触させることができる構成であればよく、上記した実施形態に限定されるものではない。
【００４９】
さらに、上記した実施形態は一例を示しており、本発明の要旨を損なわない範囲での種々の変更は可能であり、本発明は上記した実施形態に限定されるものではない。
【符号の説明】
【００５０】
１０  芝刈機
１１  芝刈機本体
１３  回転軸
１５  回転刃
２０  固定刃
２１  刃先部
２４  係止部
２５  引張バネ（接触部材）
３０  第１支持部材
３２  支持軸
５０  芝刈機（第２実施形態）
５１  第２支持部材
６０  芝刈機（第３実施形態）
６１  第３支持部材
Ｃ１  軸心（回転刃）
Ｃ２  軸心（支持軸）
Ｌ１  半径線
Ｌ２  作用線
Ｐ１  噛んだときの力（駆動力）
Ｐ２  押付力
Ｔ  接点
【図１】
2019058115.tif 000003
【図２】
2019058115.tif 000004
【図３】
2019058115.tif 000005
【図４】
2019058115.tif 000006
【図５】
2019058115.tif 000007
【図６】
2019058115.tif 000008
【図７】
2019058115.tif 000009
【図８】
2019058115.tif 000010